(57)【特許請求の範囲】
【請求項１】
縦置きの回路基板に電気電子部品を実装し、該回路基板から上下に端子を突設して成る電源分配ユニットと、
該電源分配ユニットを収容するユニット収容部と、電気部品を装着する接続ブロック部本体とを隣接して一体に形成して構成され、フレーム内に装着されるブロック本体と、
該ブロック本体内に装着され、該ユニット収容部側に位置する板部と、該接続ブロック部本体側に位置する板部とを一体に有し、各板部に電気部品接続用の端子を突設して成るバスバーと、
該電源分配ユニットの上側の前記端子と、該ユニット収容部側に位置する該板部の端子とを相互に接続する電気部品と、を備えたことを特徴とする電気接続箱の電源分配構造。
【請求項２】
前記電源分配ユニットの下側の前記端子がコネクタブロック本体内に配置され、該コネクタブロック本体が前記ユニット収容部の下部に装着されることを特徴とする請求項１記載の電気接続箱の電源分配構造。
【請求項３】
前記回路基板の上下に水平な壁部が設けられ、前記上下の端子が該上下の壁部を貫通して配置され、該上下の壁部の間に前記電気電子部品が配置されたことを特徴とする請求項１又は２記載の電気接続箱の電源分配構造。
【請求項４】
前記上下の壁部を貫通してスルー接続用の垂直なバスバー端子が配置されたことを特徴とする請求項３記載の電気接続箱の電源分配構造。
【請求項５】
前記電気部品がヒューズであることを特徴とする請求項１〜４の何れかに記載の電気接続箱の電源分配構造。
【請求項６】
前記接続ブロック部本体側に位置する板部に電源入力用の端子が設けられたことを特徴とする請求項１〜５の何れかに記載の電気接続箱の電源分配構造。
【発明の詳細な説明】
【技術分野】
【０００１】
本発明は、電源分配ユニットをブロック組立体としてフレーム内に装着する電気接続箱の電源分配構造に関するものである。
【背景技術】
【０００２】
図８は、従来の電気接続箱の一形態の縦断面を示すものである（特許文献１参照）。
【０００３】
この電気接続箱６１は、絶縁樹脂製のフレーム６２と、フレーム内に下方から挿入係止される二つのヒューズブロック６３，６４と、各ヒューズブロック６３，６４の下部側のコネクタにそれぞれ下方から嵌合接続される相手側コネクタ６５，６６とを備えたものである。
【０００４】
一方のヒューズブロック６３は上部にブレード型のヒューズを接続させるヒューズ装着部（図示せず）を有し、ヒューズは相手側コネクタ６５側の電線６７に接続される。他方のヒューズブロック６４は複数のヒュージブルリンク（図示せず）を収容したもので、ヒュージブルリンクは相手コネクタ６６側の電線６８に接続される。フレーム６２には、各ヒューズブロック６３，６４を区画する隔壁９１が形成されている。
【０００５】
上記以外の電気接続箱としては、例えば特許文献２に記載されたものが挙げられる。
【０００６】
この電気接続箱は、絶縁樹脂製のフレームと、フレーム内に装着される複数のカセットブロックと、各カセットブロックの上部に装着されるリレーやヒューズと、フレームの上下開口に被着される上下の各カバーとを備えたものである。電気接続箱内には例えば自動車のバッテリからの電源が電線回路で供給される。
【特許文献１】特開２００６−３２０１４７号公報（図３）
【特許文献２】特開２００７−６８２７４号公報（図１〜図２）
【発明の開示】
【発明が解決しようとする課題】
【０００７】
図９〜図１０は、電気接続箱の他の形態として、フレーム６９の内側に電源分配用の電源分配ユニット７０と、リレー７１やヒューズ７２やヒュージブルリンク７３を上部に接続する接続ブロック７４とを垂直な隔壁７５を介して装着する構造の電気接続箱７６を示すものである。
【０００８】
電源分配ユニット７０はパワーインテグレーションとも呼称され、下部側のコネクタ７７が各電線７８を介して接続ブロック７４のコネクタ７９やヒューズ装着部８０に接続され、自動車の１２Ｖバッテリからの電源が例えば接続ブロック７４のコネクタ８１から接続ブロック７４に供給されると共に、電線７８を経て電源分配ユニット７０に供給される。
【０００９】
図１１（ａ）は、電源分配ユニット７０の一形態を示すものであり、絶縁樹脂製の横長のケース８２と、ケース内に縦置きに配置された回路基板８３（図１１（ｂ））と、回路基板８３に表面実装（接続）された複数のリレー８４等の電気電子部品と、回路基板８３の上部から上向きに突設されたヒューズ接続用の端子８５とコネクタ接続用の端子８６と、回路基板８３の下部から下向きに突設されたコネクタ接続用の端子８７と、ケース８２の下部に装着される絶縁樹脂製のコネクタブロック本体８８とを備えている。
【００１０】
ケース８２の上部にヒューズ装着部８９とコネクタハウジング９０とが一体に形成されている。図９の如く、コネクタブロック８８の一端部のコネクタ７７が電線７８を介して接続ブロック７４のコネクタ７９等に接続される。下部のコネクタブロック８８から負荷側（図示せず）に電源が供給される。
【００１１】
しかしながら、上記図９〜図１１に示す電気接続箱の電源分配構造にあっては、電源分配ユニット７０をフレーム６９内に挿入係止させるために、フレーム内を矩形状に囲む横長の隔壁７５が必要であり、隔壁７５やそれに接する電源分配ユニット７０のケース８２によってフレーム内のスペースが狭まって、接続ブロック７４の収容スペースが不足したり、それを避けるためにフレーム６９すなわち電気接続箱が肥大化するという問題を生じた。
【００１２】
また、電源分配ユニット７０と接続ブロック７４とを接続する複数本の電線７８によって下カバー内に大きなスペースを必要として、電気接続箱の肥大化を招いたり、電線７８付きのコネクタを電源分配ユニット７０と接続ブロック７４とに接続するのに多くの工数を必要とするといった問題を生じた。
【００１３】
本発明は、上記した点に鑑み、電源分配ユニットを用いることによる電気接続箱の肥大化や電線接続の工数の増加を解消して、コンパクトで接続作業性等の良好な電気接続箱の電源分配構造を提供することを目的とする。
【課題を解決するための手段】
【００１４】
上記目的を達成するために、本発明の請求項１に係る電気接続箱の電源分配構造は、縦置きの回路基板に電気電子部品を実装し、該回路基板から上下に端子を突設して成る電源分配ユニットと、該電源分配ユニットを収容するユニット収容部と、電気部品を装着する接続ブロック部本体とを隣接して一体に形成して構成され、フレーム内に装着されるブロック本体と、該ブロック本体内に装着され、該ユニット収容部側に位置する板部と、該接続ブロック部本体側に位置する板部とを一体に有し、各板部に電気部品接続用の端子を突設して成るバスバーと、該電源分配ユニットの上側の前記端子と、該ユニット収容部側に位置する該板部の端子とを相互に接続する電気部品と、を備えたことを特徴とする。
【００１５】
上記構成により、電源分配ユニットと、電気部品を装着した接続ブロック部とがブロック本体内のバスバーと電気部品とで接続されて一体化し、ブロック組立体が構成される。ブロック本体が電源分配ユニットのケースの作用をして、回路基板や電気電子部品を保護する。ブロック組立体（電気部品は未装着でもよい）がフレーム内に装着されることで、フレーム内に電源分配ユニットと接続ブロック部とが同時に組み付けられ、且つ従来別々にフレーム内に組み付けた電源分配ユニットと接続ブロックとを仕切る隔壁がフレーム内に不要となる。回路基板の下側の端子は主に負荷側に電源を供給する。
【００１６】
請求項２に係る電気接続箱の電源分配構造は、請求項１記載の電気接続箱の電源分配構造において、前記電源分配ユニットの下側の前記端子がコネクタブロック本体内に配置され、該コネクタブロック本体が前記ユニット収容部の下部に装着されることを特徴とする。
【００１７】
上記構成により、電源分配ユニットの下側の各端子がコネクタブロック本体内に収容されてコネクタブロックが構成され、コネクタブロックがユニット収容部に組み付けられる。コネクタブロックのコネクタハウジングに負荷側の電線回路がコネクタ接続される。電源分配ユニットとコネクタブロック本体とは下側の端子とコネクタブロック本体とで位置決め固定してもよいし、回路基板とコネクタブロック本体とで固定してもよい。コネクタブロックはユニット収容部に係止される。
【００１８】
請求項３に係る電気接続箱の電源分配構造は、請求項１又は２記載の電気接続箱の電源分配構造において、前記回路基板の上下に水平な壁部が設けられ、前記上下の端子が該上下の壁部を貫通して配置され、該上下の壁部の間に前記電気電子部品が配置されたことを特徴とする。
【００１９】
上記構成により、上下の壁部で上下の各端子が位置決め固定され、上下の壁部の間でリレーや抵抗等の電気電子部品が外部との干渉等から保護される。上下の端子はＬ字状に屈曲されて回路基板に接続される。上下の壁部の端子挿入孔に各端子を挿入してもよく、上下の壁部に各端子をインサート成形で固定してもよい。
【００２０】
請求項４に係る電気接続箱の電源分配構造は、請求項３記載の電気接続箱の電源分配構造において、前記上下の壁部を貫通してスルー接続用の垂直なバスバー端子が配置されたことを特徴とする。
【００２１】
上記構成により、バスバー端子の上側の端子部が回路基板側の上側の端子と共に電気部品で相互接続される。バスバー端子の下側の端子部はコネクタブロック本体内に配置される。回路基板がバスバー端子を介して負荷側に接続される。バスバー端子を電気電子部品の前に配置し、回路基板を電気電子部品の後に配置すれば、バスバー端子で電気電子部品を外部との干渉から保護することができる。
【００２２】
請求項５に係る電気接続箱の電源分配構造は、請求項１〜４の何れかに記載の電気接続箱の電源分配構造において、前記電気部品がヒューズであることを特徴とする。
【００２３】
上記構成により、電源分配ユニットの回路基板側の端子とバスバーの端子とがヒューズを介して相互に接続され、例えば接続ブロック部側のバスバー板部から入力された電源がヒューズで過電流阻止されつつ電源分配ユニットに安全に供給される。
【００２４】
請求項６に係る電気接続箱の電源分配構造は、請求項１〜５の何れかに記載の電気接続箱の電源分配構造において、前記接続ブロック部本体側に位置する板部に電源入力用の端子が設けられたことを特徴とする。
【００２５】
上記構成により、バスバーの板部の端子に電源が入力されて接続ブロック部側から電源分配ユニットの上側の端子に電源が供給され、下側の端子から負荷側に電源が供給される。
【発明の効果】
【００２６】
請求項１記載の発明によれば、電源分配ユニットと接続ブロック部とがブロック本体で一体化されたことで、フレーム内に電源分配ユニットと接続ブロック部とを仕切る従来の隔壁が不要となり、また、ブロック本体が電源分配ユニットのケースの作用をして、従来のケースが不要となり、隔壁やケースに起因するフレームの肥大化が解消され、電気接続箱がコンパクト化される。また、電源分配ユニットと接続ブロック部とがブロック本体で一体化されて同時にフレーム内に組み付けられることで、電気接続箱の組立作業性が向上する。また、従来、電源分配ユニットと接続ブロックとをコネクタ接続していた電線がバスバーに代わったことで、この電線を収容するべくフレームに装着されるカバーが省スペース化され、電気接続箱がコンパクト化されると共に、面倒なコネクタ接続作業が廃止されて電気接続箱の組立作業性が向上する。
【００２７】
請求項２記載の発明によれば、電源分配ユニットとコネクタブロックとを一体化してブロック本体のユニット収容部に組み付けることで、電気接続箱の組立作業性が向上する。
【００２８】
請求項３記載の発明によれば、回路基板と上下の壁部と、上下の壁部間の電気電子部品と、上下の壁部から突出した上下の端子とで、省スペースでコンパクトな電源分配ユニットが構成される。
【００２９】
請求項４記載の発明によれば、バスバー端子の上側の端子部を電気部品を介して回路基板の上側の端子に接続し、バスバー端子の下側の端子部を負荷側に接続することで、多様な回路仕様に対応することができる。
【００３０】
請求項５記載の発明によれば、ブロック本体のユニット収容部にヒューズを装着することで、電源分配ユニットと接続ブロック部とを容易に且つ省スペースで確実に接続させることができる。
【００３１】
請求項６記載の発明によれば、バスバーを介して接続ブロック部側から電源分配ユニット側に省スペースで確実に電源を供給することができる。
【発明を実施するための最良の形態】
【００３２】
図１〜図７は、本発明に係る電気接続箱の電源分配構造の一実施形態を示すものである。
【００３３】
図１〜図２（図２は図１とは前後反対に示している）の如く、この電源分配構造は、絶縁樹脂製のブロック本体１（図１）と、ブロック本体１内に下方から挿着される導電金属製のバスバー２と、既存のケース（図１１（ｂ））を用いずに、ブロック本体１内に下方から挿着される電源分配ユニット３と、電源分配ユニット３の下側でブロック本体１の下部に装着される絶縁樹脂製のコネクタブロック本体４（図２）とを備えたものである。
【００３４】
ブロック本体１（図１）は、電源分配ユニット３を収容する前半のユニット収容部５と、複数のヒューズを上部に装着する後半のヒューズブロック部本体（接続ブロック部本体）６とを一体に有している。接続ブロック部本体６は上部にヒューズ装着部４６を有し、ヒューズ装着部４６にヒューズを装着し、接続ブロック部本体６内に電線付きのヒューズ接続用端子等を収容することで、接続ブロック部となる。接続ブロック部（符号６で代用する）が既存の接続ブロック（図９）に対応し、電源分配ユニット３と接続ブロック部６とがブロック本体１によって一体化される。
【００３５】
ユニット収容部５の上部にもヒューズ装着部７が形成されている。前半の一端側にはヒュージブルリンク装着部８が一体に形成されている。ブロック本体１は下端側に下部開口９（図４）を有し、下部開口９がユニット収容部５や接続ブロック部本体６の各内部空間に連通している。
【００３６】
ユニット収容部５は少なくとも垂直な前側の壁部４０ａと左右の壁部４０ｂ，４０ｃとを有し、接続ブロック部本体６は少なくとも垂直な後側の壁部４１ａと左右の壁部４１ｂ，４１ｃとを有し、ユニット収容部５の後側と接続ブロック部本体６の前側とは一体化されて続いている。
【００３７】
ブロック本体１の内面側には、バスバー２の係止孔（係止手段）１０に係合する可撓性の係合爪（図示しない係止手段）が設けられている。ユニット収容部５の下端側にコネクタブロック４側の係止突起（係止手段）１１を係合させる係合孔（係止手段）１２が設けられている。
【００３８】
ブロック本体１の外壁面には、図３の絶縁樹脂製のフレーム１３（図３）の内壁面側の縦方向の各一対のガイド溝（ガイド手段）１４に係合する各一対のレール（ガイド手段）１５と、ガイド溝１５間の係合突起（係止手段）１６に係合する可撓性の係止アーム（係止手段）１７とが設けられている。
【００３９】
ブロック本体１にバスバー２と電源分配ユニット３を装着して図３のブロック組立体（バッテリブロックアセンブリとも呼称される）１’が構成される。図３において、ブロック組立体１’は前後反転した状態でフレーム３１の後半のブロック組立体収容部１９に下方から挿着される。フレーム３１の前半の収容部１８には後述（図７）の他のブロック組立体（オルタネータブロックアセンブリ）２１が挿着される。
【００４０】
フレーム３１は前後左右の枠状の垂直な外壁４９，５０と、前後の外壁４９の間に設けられた垂直な隔壁２０と、隔壁２０の前後の収容空間１８，１９と、外壁５０に設けられたブラケット５１とを少なくとも備えており、上部と下部に開口を有して各収容空間１８，１９は上下に貫通している。フレーム３１の前壁４９の垂下板５２は下カバーのスロットとの間でハーネス導出口（図示せず）を構成する。
【００４１】
フレーム３１の中央には隔壁２０が設けられているが、この隔壁２０は両ブロック組立体１’，２１を区画するものであり、本発明の要旨は、電源分配ユニット３と接続ブロック部６とを一体化したブロック組立体１’を、フレーム３１の後半の収容空間１９内の隔壁（図９）を不要として省スペースで収容することにある。
【００４２】
図１，図２の如く、バスバー２は、略コの字状に屈曲して平行に対向する前後の長短の各板部２２，２３と、両板部２２，２３を連結する幅狭な連結板２４と、各板部２２，２３の上端から上向きに且つ横方向に並列に突出形成されたヒューズ接続用の複数の挟持端子２５，２５’と、一方の短い板部２２の一端側の上部に突設されたヒュージブルリンク接続用のタブ端子２６と、他方の長い板部２３の他端側の下部に突設された電源入力用の幅広のタブ端子２７と、連結板２４と長い板部２３との上端に突設された位置決め用のタブ部とを有するものである。
【００４３】
各挟持端子２５は左右一対の挟持片２５ａで成り、ヒューズ２９（図５）のタブ端子２９ａを弾性的に挟持接続する。図２の長い板部２３の外側の膨出部２３ａは係止孔１０へのブロック本体１の係合爪（図示せず）の係止代を確保する。タブ端子２７はブロック本体１の接続ブロック部本体６の下側のコネクタハウジング５５内に収容される。
【００４４】
図４（下面図）の如く、バスバー２は下方からブロック本体１の断面略コの字状の縦溝３０に沿ってブロック本体１内に挿着され、バスバー２の短い板部２２がユニット収容部５の後端側に挿入配置され、長い板部２３が接続ブロック部本体６の前端側に挿入配置される。連結部２４はブロック本体１の一側方に位置し、下向きのタブ端子２７は接続ブロック部本体６の他側方のコネクタ３２内に位置する。コネクタ３２にバッテリからの電源が入力される。
【００４５】
図１，図２の如く、電源分配ユニット３は、垂直な回路基板３３と、回路基板３３の上下に固定された水平な上壁３４と下壁３５と、上下の壁部３４，３５の間で回路基板３３に並列に表面実装された複数のリレー３６と、上壁３４とリレー３６の上面との間で回路基板３３から上向きにＬ字状に突設されたヒューズ接続用の挟持端子（上側端子）３７と、下壁３５とリレー３６の下面との間で回路基板３３の左半側（図２で右半側）から下向きに突設されたコネクタ接続用のタブ端子（下側端子）３８と、回路基板３３の右半側のリレー３６に対向して回路基板３３と平行に上壁３４と下壁３５とを貫通して配置されたスルー接続用の少数の長いバスバー端子３９とを備えて構成されている。
【００４６】
挟持端子（上側端子）３７はタブ状の水平部３７ａとそれに続く回路基板接続用のピン部３７ｂと垂直部３７ｃとを有し、垂直部３７ｃに一対の挟持片３７ｄが形成されて成る。タブ端子（下側端子）３８は水平部３８ａと垂直部３８ｃとを有し、水平部３８ａに回路基板接続用のピン部３８ｂが形成されて成る。各端子３７，３８の垂直部３７ｃ，３８ｃは上下の水平な壁部３４，３５の挿入孔に挿入されてもよく、各壁部３４，３５にインサート成形で固定されてもよい。
【００４７】
バスバー端子３９は上側のヒューズ接続用の挟持端子（上側端子）３７’と、下側のコネクタ接続用のタブ端子３８’とを有し、挟持端子３７’は前側（図２で後側）の挟持端子３７に対向し、タブ端子３８’は左半側のタブ端子３８と同一な垂直面上に並列に位置している。上下の各端子３７’，３８’は上下の水平な壁部３４，３５の挿入孔に挿入されてもよく、上下の壁部３４，３５にインサート成形で固定されてもよい。なお、明細書で前後左右の方向性は説明の便宜上のものである。
【００４８】
回路基板３３は絶縁基板３３ａの前面側に所要形状のプリント回路（図示せず）を有し、絶縁基板３３ａの厚み方向中間にメタルコア回路（図示せず）を有している。回路形態は適宜設定可能である。これらの回路にリレー３６のタブ状ないしピン状の端子３６ａと上下の端子３７，３８の基端側のピン部３７ｂ，３８ｂとが絶縁基板３３ａのスルーホールを貫通してハンダ接続されている。リレー３６は一例として２０Ａ程度の車両走行系のものである。リレー３６の他に電気電子部品として抵抗等を回路基板３３に実装することも可能である。回路基板３３の種類を変えることで車両のグレード等に容易に対応することができる。
【００４９】
コネクタブロック本体４（図２）は、水平な底壁４２と、底壁４２の前後端で上向きに突出した鍔壁４３と、底壁４２から下向きに一体に突出形成されたコネクタハウジング４４とを備え、底壁４２に電源分配ユニット３の下側のタブ端子３８，３８’を挿入するスリット孔４５が設けられ、スリット孔４５はコネクタハウジング４４内のコネクタ嵌合室に連通し、鍔壁４３にブロック本体１（図１）の係合孔１２に係合する係止突起１１が設けられ、前後の鍔壁４３の間に電源分配ユニット３の下壁３５が底壁４２との間に隙間を存して位置する（図５参照）。電源分配ユニット３の下側のタブ端子３８，３８’とコネクタブロック本体４とでコネクタブロック４’（図１）が構成される。
【００５０】
図４の如く、バスバー２と電源分配ユニット３をブロック本体１内に挿着した状態で、図１のバスバー２の短い板部２２の五本の挟持端子２５がブロック本体１のユニット収容部５の上部のヒューズ装着部７において電源分配ユニット３の一列目（前側）の左半側の五本の挟持端子３７に対向し、図５の如くブレード型のヒューズ２９を介してバスバー２の各挟持端子２５と電源分配ユニット３の各挟持端子３７とが相互に接続される。図４において、符号３は電源分配ユニット、３６はリレー、３３は回路基板、３８，３８’は下向きのタブ端子、３６ａ，３８ｂは各端子の回路接続部をそれぞれ示す。
【００５１】
図５はバスバー２と電源分配ユニット３の接続状態を説明的に示すものであり、バスバー２の短い板部２２の各挟持端子２５と電源分配ユニット３の前側の上向きの各挟持端子３７とがヒューズ２９を介して相互に接続されている。ヒューズ２９は矩形状の絶縁樹脂部２９ｂの内側に可溶部（図示せず）を有し、可溶部に続く前後一対のタブ端子２９ａを両側に有している。
【００５２】
電源分配ユニット３の下向きのタブ端子３８はコネクタブロック本体４のコネクタハウジング４４内に突出して、コネクタ（符号４４で代用）を含むコネクタブロック４’を構成する。回路基板３３はコネクタブロック本体４の前側の鍔壁４３の内面に沿って位置する。図２の電源分配ユニット３の長いバスバー端子３９の上側の挟持端子３７’は電源分配ユニット３の対向する挟持端子３７にヒューズ２９を介して接続され、バスバー端子３９の下側のタブ端子３８’はコネクタブロック４内に位置する。
【００５３】
図５の組付状態は実際には図６のようになる。すなわち、電源分配ユニット３とバスバー２とがブロック本体１内に収容された状態で、ブロック本体１のユニット収容部５の上側のヒューズ装着部７に各ヒューズ２９が装着されることで、接続ブロック部６と電源分配ユニット３とが接続されて、バッテリの電源がバスバー２を介して接続ブロック部６と電源分配ユニット３とに供給される。
【００５４】
バスバー２の長い板部２３は接続ブロック部本体６側に位置し、接続ブロック部本体６の上側のヒューズ装着部４６のヒューズ（図示せず）を介してヒューズ装着部４６の下側の電線付き端子（図示せず）が長い板部２３の挟持端子２５’に接続され、電線（回路）で車両の各負荷に給電が行われる。前記コネクタブロック４からも車両の各負荷に給電が行われる。図４の如く、接続ブロック部本体６のヒューズ装着部４６の下側には電線付き端子の収容室４６ａが形成されている。電線付き端子に代えてバスバー（図示しない回路）を用いることも可能である。図６の如く電線付き端子は収容室４６ａ内の可撓性の係止ランス４７で係止される。
【００５５】
図７は、図６のブロック組立体１’を図３のフレーム３１内に組み付けた状態を他の形態を用いて示すものである。ブロック組立体１’やフレーム３１の形状は上記実施形態とは少し異なっているが、基本構造は同じであるので、上記実施形態と同様の作用部分には同じ符号を付して説明を省略する。図７のフレーム３１は既存（図９）のフレームの外形に対応している。
【００５６】
フレーム３１の後半の収容室１９にブロック組立体１’が収容され、ガイド手段１５と係止手段１７で固定されている。ブロック組立体１’の後半のユニット収容部５と前半の接続ブロック部本体６とが一体化されているので、後半の収容室１９に既存の隔壁（図９）は存在しない。それによって、フレーム３１がコンパクト化されている。
【００５７】
ブロック組立体１’はバッテリブロックアセンブリであり、フレーム３１の前半の収容室１８には他のブロック組立体２１としてのオルタネータブロックアセンブリが収容されている。前後の収容室１８，１９は他のブロック組立体２１の組付性を高めるために隔壁２０で区画されているが、後半の収容室１９の隔壁（図９）を排除したことで、フレーム３１全体すなわち電気接続箱４８のコンパクト化がなされている。他のブロック組立体２１を用いない場合は後半の収容室１９のみで隔壁２０のないフレームを構成することができる。
【００５８】
フレーム３１の上下に各カバー（図示せず）が被着されて電気接続箱４８が構成される。電気接続箱４８はフレーム３１のブラケット５１（図３）で車両ボディ等に固定される。図７で、符号５３はヒュージブルリンク、５４はリレー、２９は電源分配ユニット３側のヒューズ、２９’は接続ブロック部６側のヒューズをそれぞれ示す。
【００５９】
なお、上記実施形態においては、バスバー２と電源分配ユニット３とをヒューズ２９で接続したが、電気部品としてヒューズ２９に代えてジョイント端子やショート端子やヒュージブルリンク等（図示せす）を用いることも可能である。ヒューズ２９を用いることで、バスバー２すなわち接続ブロック部６と電源分配ユニット３との間の過電流が防止される。
【００６０】
また、上記実施形態においては、接続ブロック部６側でバスバー２の長い板部２３の端子２５’にヒューズ２９’を接続したが、電気部品としてヒューズ２９’に代えて、あるいはヒューズ２９’と共にリレー等（図示せず）を接続することも可能である。この場合、接続ブロック部本体６の上部にリレー装着部（図示せず）が形成され、バスバー２の板部２３にリレー接続用のタブ端子等が突設される。
【００６１】
また、上記実施形態においては、電源分配ユニット３と接続ブロック部６とを近接して並列に配置したが、フレーム３１内の他の接続ブロック２１の配置等によっては、例えば電源分配ユニット３と接続ブロック部６とを隣接して略Ｌ字状に配列することも可能である。この場合、バスバー２は略コの字（略Ｕ字）ではなく略Ｌ字に屈曲形成される。
【００６２】
また、上記実施形態の構成は、電気接続箱の電源分配構造として以外に、電気接続箱のユニット組付構造やブロック組付構造、あるいは電気接続箱自体としても有効なものである。
【図面の簡単な説明】
【００６３】
【図１】本発明に係る電気接続箱の電源分配構造の一実施形態の要部を示す分解斜視図である。
【図２】同じく電源分配構造を図１とは前後反対方向から見た状態の分解斜視図である。
【図３】ブロック組立体をフレームに組み付ける状態を示す分解斜視図である。
【図４】ブロック組立体を下面側から見た平面図である。
【図５】電源分配ユニットとバスバーとの接続状態を示す要部斜視図である。
【図６】電源分配ユニットとバスバーをフレームに収容したブロック組立体を示す要部斜視図である。
【図７】ブロック組立体をフレームに収容した状態の他の形態を示す平面図である。
【図８】従来の電気接続箱の一形態（ブロック組付構造）を示す縦断面図である。
【図９】既存の電気接続箱の他の形態（電源分配構造）を示す下方視斜視図である。
【図１０】同じく電源分配構造を示す上方視平面図である。
【図１１】（ａ）は既存の電源分配ユニットを示す斜視図、（ｂ）は同じく内部構造を示す斜視図である。
【符号の説明】
【００６４】
１            ブロック本体
２            バスバー
３            電源分配ユニット
４            コネクタブロック本体
５            ユニット収容部
６            接続ブロック部本体
２２，２３    板部
２５，２５’  挟持端子（電気部品接続用の端子）
２７          タブ端子（電源入力用の端子）
２９          ヒューズ（電気部品）
２９’        ヒューズ（電気部品）
３１          フレーム
３３          回路基板
３４，３５    上下の壁部
３６          リレー（電気電子部品）
３７          挟持端子（上側の端子）
３８          タブ端子（下側の端子）
３９          バスバー端子
４８          電気接続箱
【図１】
0005149071.tif 000002
【図２】
0005149071.tif 000003
【図３】
0005149071.tif 000004
【図４】
0005149071.tif 000005
【図５】
0005149071.tif 000006
【図６】
0005149071.tif 000007
【図７】
0005149071.tif 000008
【図８】
0005149071.tif 000009
【図９】
0005149071.tif 000010
【図１０】
0005149071.tif 000011
【図１１】
0005149071.tif 000012